(57)【要約】【課題】引き出し途中のバイザーが障害物に接触したことに起因する、自動機の故障等の問題を回避する。【解決手段】本発明の自動機は、利用者が取引時に操作を行う操作部と、自動機の引き出し側または収納側に移動自在に構成され、引き出し側へ移動することで、前記操作部における利用者の操作を少なくとも側方から見えないように遮蔽するバイザーと、前記バイザーを引き出し側または収納側に移動させる駆動部と、前記バイザーの引き出し側への移動中に、前記バイザーに障害物が接触したことを検知するセンサと、を有し、前記駆動部は、前記バイザーの引き出し側への移動中に、前記センサ部にて前記バイザーが障害物に接触したことが検知されると、前記バイザーを停止させる。【選択図】図３
2009199523.tif 000002
【特許請求の範囲】
【請求項１】
利用者が取引時に操作を行う操作部と、自動機の引き出し側または収納側に移動自在に構成され、引き出し側へ移動することで、前記操作部における利用者の操作を少なくとも側方から見えないように遮蔽するバイザーと、前記バイザーを引き出し側または収納側に移動させる駆動部と、を有してなる自動機であって、
前記バイザーの引き出し側への移動中に、前記バイザーに障害物が接触したことを検知するセンサをさらに有し、
前記駆動部は、前記バイザーの引き出し側への移動中に、前記センサ部にて前記バイザーが障害物に接触したことが検知されると、前記バイザーを停止させることを特徴とする自動機。
【請求項２】
取引の開始および終了を判定する本体部をさらに有し、
前記駆動部は、取引が開始されると、前記バイザーを引き出し側に移動させ、取引が終了すると、前記バイザーを収納側に移動させる、請求項１に記載の自動機。
【請求項３】
利用者が取引時に操作を行う操作部と、自動機の引き出し側または収納側に移動自在に構成され、引き出し側へ移動することで、前記操作部における利用者の操作を少なくとも側方から見えないように遮蔽するバイザーと、を有してなる自動機のバイザー制御方法であって、
前記バイザーの引き出し側への移動中に、前記バイザーに障害物が接触したことを検知するステップと、
前記バイザーの引き出し側への移動中に、前記バイザーが障害物に接触したことが検知されると、前記バイザーを停止させるステップと、を有することを特徴とするバイザー制御方法。
【請求項４】
取引の開始および終了を判定するステップと、
取引が開始されると、前記バイザーを引き出し側に移動させるステップと、
取引が終了すると、前記バイザーを収納側に移動させるステップと、を有する、請求項３に記載のバイザー制御方法。
【発明の詳細な説明】
【技術分野】
【０００１】
本発明は、利用者により、高いセキュリティレベルを要する取引が行われる自動機および自動機のバイザー制御方法に関する。
【背景技術】
【０００２】
この種の自動機では、利用者のセキュリティを確保するため、バイザーと呼ばれる遮蔽板によって、操作部における利用者の操作を他の者から見えないように遮蔽している。
【０００３】
バイザーは、一般には、手動で引き出すかまたは固定する構成となっている。
【０００４】
しかし、バイザーを手動で引き出す構成の場合、利用者がバイザーを引き出した状態のままで放置する可能性がある。また、バイザーを固定する構成の場合、バイザーを引き出した状態で固定することになる。
【０００５】
一般には、流通店舗での什器の寸法は細かく規定されており、自動機もその寸法に合わせて設計されているが、バイザーを引き出した状態では、そのバイザーが自動機の奥行きの寸法を超過することがある。
【０００６】
通常、流通店舗の通路は狭いため、自動機の奥行きを超過したバイザーが通路に突出する場合があり、このような場合、人の往来の妨げになり、最悪の場合には衝突し怪我をする可能性もあるという問題点がある。
【０００７】
また、バイザーを手動で引き出す構成の場合、利用者自身でバイザーを引き出し調整する必要があるという問題点もある。
【０００８】
上記の問題点を解決する関連技術としては、例えば、特許文献１に開示された技術が挙げられる。この技術は、自動機において、取引が開始されると、遮蔽板を自動的に引き出し、取引が終了すると、遮蔽板を自動的に収納するものである。
【０００９】
したがって、特許文献１に開示された技術を利用すれば、自動機で取引が行われていない場合は、バイザーが自動的に収納されるため、流通店舗の通路空間が確保でき、バイザーが人の往来の妨げになることが回避される。また、バイザーが自動的に引き出されるため、利用者自身でバイザーを引き出し調整する必要がなくなる。
【特許文献１】特開２００５−２６６８４７号公報
【発明の開示】
【発明が解決しようとする課題】
【００１０】
しかし、利用者は、バイザーが引き出されることを知らない等の要因で、引き出し途中のバイザーと接触する場合があり、このような場合に、バイザーの引き出しを継続することは、自動機の故障につながるだけでなく、利用者にとっても非常に危険である。
【００１１】
したがって、バイザーの引き出しおよび収納を自動的に行う自動機においては、引き出し途中のバイザーが障害物に接触したことに起因する、自動機の故障等の問題を回避することが重要な課題となっている。
【００１２】
そこで、本発明の目的は、上述した課題を解決する自動機および自動機のバイザー制御方法を提供することにある。
【課題を解決するための手段】
【００１３】
本発明の自動機は、
利用者が取引時に操作を行う操作部と、自動機の引き出し側または収納側に移動自在に構成され、引き出し側へ移動することで、前記操作部における利用者の操作を少なくとも側方から見えないように遮蔽するバイザーと、前記バイザーを引き出し側または収納側に移動させる駆動部と、を有してなる自動機であって、
前記バイザーの引き出し側への移動中に、前記バイザーに障害物が接触したことを検知するセンサをさらに有し、
前記駆動部は、前記バイザーの引き出し側への移動中に、前記センサ部にて前記バイザーが障害物に接触したことが検知されると、前記バイザーを停止させる。
【００１４】
本発明の自動機のバイザー制御方法は、
利用者が取引時に操作を行う操作部と、自動機の引き出し側または収納側に移動自在に構成され、引き出し側へ移動することで、前記操作部における利用者の操作を少なくとも側方から見えないように遮蔽するバイザーと、を有してなる自動機のバイザー制御方法であって、
前記バイザーの引き出し側への移動中に、前記バイザーに障害物が接触したことを検知するステップと、
前記バイザーの引き出し側への移動中に、前記バイザーが障害物に接触したことが検知されると、前記バイザーを停止させるステップと、を有する。
【発明の効果】
【００１５】
本発明によれば、自動機は、バイザーの引き出し側への移動中に、バイザーが障害物に接触したことを検知すると、バイザーを停止させる。
【００１６】
したがって、引き出し途中のバイザーが障害物に接触したことに起因する、自動機の故障等の問題を回避することができるという効果が得られる。
【発明を実施するための最良の形態】
【００１７】
以下に、本発明を実施するための最良の形態について図面を参照して説明する。
【００１８】
まず、本実施形態の自動機の外観構成について、図１および図２を参照して説明する。
【００１９】
図１および図２を参照すると、本実施形態の自動機は、操作部８と、バイザー６と、を有している。
【００２０】
操作部８は、利用者が取引時に操作を行う部分である。なお、本実施形態では、操作部８は、操作面を有するディスプレイを想定しているが、これに限らず、キーボード等でも良い。
【００２１】
バイザー６は、自動機の引き出し側または収納側に移動自在に構成されており、引き出し側へ移動することで、操作部８における利用者の操作を、上方および側方から見えないように遮蔽する。なお、本実施形態では、バイザー６は、利用者の操作を上方および側方から見えないように遮蔽しているが、これに限らず、少なくとも側方から見えないように遮蔽すれば良い。
【００２２】
次に、本実施形態の自動機の内部構成について、図３を参照して説明する。
【００２３】
図３を参照すると、本実施形態の自動機は、駆動部１と、駆動制御部２と、電源部３と、センサ部４と、センサ部５と、バイザー６と、自動機本体部７と、を有している。なお、操作部８は、自動機本体部７の構成要素の一部である。
【００２４】
駆動部１は、電源部３から電源供給を受け、バイザー６を引き出し側または収納側にスライドさせる。なお、駆動部１によるバイザー６の移動方法は、特に限定はないが、例えば、特許文献１と同様に、バイザー６の引き出し方向に沿って設けられた不図示のラックにバイザー６を連結し、このラックと噛み合う不図示のピニオンを駆動部１がモーター駆動により回転させることで、バイザー６をスライドさせることができる。
【００２５】
電源部３は、駆動部１、駆動制御部２、センサ部４、およびセンサ部５に電源を供給する。なお、本実施形態では、電源部３は、自動機本体部７とは独立した外付け電源ユニットを想定しているが、これに限らず、自動機本体部７から直接電源を供給しても良い。
【００２６】
センサ部４は、バイザー６に障害物（利用者の身体、他の什器等）が接触したことを検知すると、駆動制御部２に信号を送る。なお、センサ部４による検知方法は、特に限定はないが、例えば、駆動部１の駆動トルクを測定し、駆動トルクが所定値を超えた場合に、バイザー６に障害物が接触したと検知する方法を採ることができる。
【００２７】
センサ部５は、バイザー６が完全に引き出されたことまたは完全に収納されたことを検知すると、駆動制御部２に信号を送る。なお、センサ部５による検知方法は、特に限定はないが、例えば、バイザー６が所定位置にあるか否かで検知する方法を採ることができる。
【００２８】
自動機本体部７は、利用者による取引の開始および終了を判定すると、駆動制御部２に信号を送る。なお、自動機本体部７による取引開始の判定方法は、特に限定はないが、例えば、自動機の取引開始ボタンを押す、自動機にカードを挿入する、接近センサに反応する等の事象が発生したか否かで判定する方法を採ることができる。
【００２９】
駆動制御部２は、電源部３から電源供給を受け、駆動部１の動きを制御する。具体的には、駆動制御部２は、取引が開始されると、駆動部１を駆動してバイザー６を引き出し側へスライドさせ、また、取引が開始されると、駆動部１を駆動してバイザー６を収納側へスライドさせる。なお、バイザー６の引き出し側へのスライド中にバイザー６に障害物が接触すると、駆動部１を停止して、バイザー６を停止させる。
【００３０】
次に、図１〜図３に示した自動機のバイザー引き出し動作およびバイザー収納動作について説明する。
【００３１】
最初に、バイザー引き出し動作について、図４を参照して説明する。
【００３２】
図４を参照すると、駆動制御部２は、自動機本体部７から取引開始の信号を受理すると（ステップ４０１）、駆動部１を駆動してバイザー６を引き出し側へスライドさせる（ステップ４０２，４０３）。
【００３３】
バイザー６の引き出し側へのスライド中にバイザー６が障害物に接触すると（ステップ４０４）、これをセンサ部４が検知し、駆動制御部２に信号を送る。すると、駆動制御部２は、駆動部１を停止してバイザー６を停止させる（ステップ４０５，４０６）。
【００３４】
バイザー６が引き出し側の可動範囲限界となる位置までスライドすると（ステップ４０７）、これをセンサ部５が検知し、駆動制御部２に信号を送信する。すると、駆動制御部２は、駆動部１の駆動を停止してバイザー６を停止させる（ステップ４０８，４０９）。
【００３５】
続いて、バイザー収納動作について、図５を参照して説明する。
【００３６】
図５を参照すると、駆動制御部２は、自動機本体部７から取引終了の信号を受理すると（ステップ５０１）、駆動部１を駆動してバイザー６を収納側へスライドさせる（ステップ５０２，５０３）。
【００３７】
バイザー６が収納側の可動範囲限界となる位置までスライドすると（ステップ５０４）、これをセンサ部５が検知し、駆動制御部２に信号を送信する。すると、駆動制御部２は、駆動部１を停止してバイザー６を停止させる（ステップ５０５，５０６）。
【００３８】
上述したように本実施形態においては、バイザー６に障害物が接触したことを検知するセンサ部４を設け、駆動部１は、バイザー６の引き出し側への移動中に、センサ部４にてバイザー６が障害物に接触したことが検知されると、バイザー６を停止させる。
【００３９】
したがって、引き出し途中のバイザー６が障害物に接触したことに起因する、自動機の故障等の問題を回避することができるという効果が得られる。
【００４０】
また、本実施形態においては、利用者による取引が開始されると、バイザー６が引き出し側に自動的に移動し、利用者の操作を周囲から覗き見されることを防ぐため、利用者自身でバイザー６を操作することなく、セキュリティを確保できるという効果も得られる。
【００４１】
また、本実施形態においては、利用者による取引が終了すると、バイザー６が収納側に自動的に移動し、バイザー６が流通店舗の通路空間の障害となることを防ぐため、利用者自身でバイザー６を操作することなく、通路空間を確保できるという効果も得られる。
【産業上の利用可能性】
【００４２】
本発明の自動機は、流通店舗や金融機関に設置される自動出納機（ＡＴＭ；Automated Teller Machine）等、利用者により、高いセキュリティレベルを要する取引が行われる自動機全般へ応用することが可能である。
【図面の簡単な説明】
【００４３】
【図１】本発明の一実施形態の自動機のバイザーが引き出された状態の外観構成を示す図である。
【図２】本発明の一実施形態の自動機のバイザーが収納された状態の外観構成を示す図である。
【図３】本発明の一実施形態の自動機の内部構成を示すブロック図である。
【図４】本発明の一実施形態の自動機のバイザー引き出し動作を説明するためのフローチャートである。
【図５】本発明の一実施形態の自動機のバイザー収納動作を説明するためのフローチャートである。
【符号の説明】
【００４４】
１    駆動部
２    駆動制御部
３    電源部
４    センサ部
５    センサ部
６    バイザー
７    自動機本体部
８    操作部
【図１】
2009199523.tif 000003
【図２】
2009199523.tif 000004
【図３】
2009199523.tif 000005
【図４】
2009199523.tif 000006
【図５】
2009199523.tif 000007